(57)【要約】【課題】本発明は医療のリハビリテーション用脚のマッサージ器を開示した。【解決手段】マッサージ器の主体を含み、前記主体の下端面の中には左右対称の転動溝が形成されており、前記転動溝の中には前後対称のローラが回転できるように設置され、前記主体の中には前後対称のマッサージチャンバが設置され、二つの前記マッサージチャンバの中にはマッサージ板が回転できるように設置され、前記マッサージ板の下端面の中にはスライド溝が形成されており、前記スライド溝の中にはスライドブロックがスライドできるように設置され、本発明はマッサージの動力の源はすべて足部の動作によって提供されるのであり、省エネルギーで環境にも優しく、マッサー板が回転する過程に、プレス式と転動式二つの方式で足部のつぼをマッサージでき、足元と、足の指と、足の首とを全般的に健康回復のマッサージを行う。【選択図】図１
2020182805.tif 000002
【特許請求の範囲】
【請求項１】
正面視で、マッサージ器の主体を含み、
前記主体の下端面の中には左右対称の転動溝が形成されており、前記転動溝の中には前後対称のローラが回転できるように設置され、
前記主体の中には前後対称のマッサージチャンバが設置され、
二つの前記マッサージチャンバの中にはマッサージ板が回転できるように設置され、前記マッサージ板の下端面の中にはスライド溝が形成されており、前記スライド溝の中にはスライドブロックがスライドできるように設置され、前記スライドブロックの下端には昇降ラックが回転できるように連結され、前記マッサージチャンバの下端壁の中には伸縮溝が連通するように形成されており、前記昇降ラックの下端が前記伸縮溝の中に伸びており、且つ前記昇降ラックの下端と前記伸縮溝の下端壁との間には伸縮ばねが固定的に設置され、前記昇降ラックの右端面には位置制限ブロックが固定的に設置され、前記伸縮溝の左側には伝動装置が設置され、前記伝動装置が前記昇降ラックと噛み合っており、前後の前記マッサージ板の右側の上端面にはそれぞれマッサージブロックが固定的に設置され、前記マッサージブロックの中には五つのマッサージ溝が均等に形成されており、隣接した前記マッサージ溝の間にはマッサージ回転溝が連通するように形成されており、前記マッサージ回転溝の中にはマッサージ輪がマッサージ回転ロッドによって回転できるように設置され、隣接した前記マッサージ輪の間はタイミングベルトによって動力が伝達できるように連結され、前記マッサージ板のうち前記マッサージ溝の下側に位置しているところには連結装置が設置され、
前記マッサージチャンバの下端壁には前記マッサージ板の右側に位置している伝動ラックが固定的に設置され、前記伝動ラックと前記連結装置とが噛み合うように連結され、
二つの前記マッサージチャンバの中にはそれぞれマッサージリングが前後対称的に設置され、前記マッサージリングの中にはマッサージ押し溝が形成されており、前記マッサージ押し溝の中にはマッサージ押し板が設置され、同一の前記マッサージチャンバの中の前記マッサージ押し板のうち互いに近接している一つの端面にはマッサージボールが固定的に設置され、前記マッサージチャンバの前後端壁の中には伸縮装置が設置され、前記マッサージリングと前記伸縮装置とがそれぞれ固定的に連結され、前記伸縮装置と前記伝動装置とが動力が伝達できるように連結されており、
脚を前記マッサージ板に置き、また前記マッサージ板を左右に押して動かさせ、前記マッサージ板の回転によって前記伝動装置を作動させることができ、前記伸縮装置が前記マッサージリングを足首と接触させ、それによって前記マッサージボールが足首をプッシュして健康回復のマッサージを行い、また前記伝動ラックの作用のもとで、前記連結装置によって前記マッサージ輪が作動し、足の指に回復のマッサージを行うことを特徴とする医療のリハビリテーション用脚のマッサージ器。
【請求項２】
前記伝動ラックは曲がりであり、また前記伝動ラックの形状は前記マッサージ板の右端の回転軌跡と同じであり、それによって前記マッサージ板が回転すると、前記連結装置が作動して前記マッサージ輪を回転連動させ、前記マッサージ板と前記マッサージ輪の外表面とは凸凹の形状であることを特徴とする請求項１に記載の医療のリハビリテーション用脚のマッサージ器。
【請求項３】
前記伝動装置は伝動チャンバを含み、
前記伝動チャンバの中には第一ベベルギヤが回転できるように設置され、前記第一ベベルギヤの右側には前記昇降ラックと噛み合っているスパーギヤが設置され、前記スパーギヤと前記第一ベベルギヤとの間はベルトによって回転できるように連結され、
前記伝動チャンバの上端壁の間にはベルトチャンバが連通するように設置され、前記ベルトチャンバの中にはベルトプーリがスピンドルによって回転できるように設置され、前記ベルトプーリと前記連結装置とが動力が伝達できるように連結され、前記スピンドルの下端が前記伝動チャンバの中に伸びており、また前記スピンドルの下端には第二ベベルギヤが固定的に設置され、前記第二ベベルギヤが前記第一ベベルギヤと噛み合っていることを特徴とする請求項１に記載の医療のリハビリテーション用脚のマッサージ器。
【請求項４】
前記連結装置は前記マッサージ板の右端に形成されている開き溝を含み、
前記開き溝の中には第三ベベルギヤが連結軸によって回転できるように設置され、前記連結軸と一つの前記マッサージ回転ロッドとが伝動ベルトによって動力が伝達できるように連結され、前記マッサージ回転ロッドと前記連結軸とは同じ前記マッサージチャンバの中に位置しており、
前記開き溝のうち互いに近接している一端には伝動ギヤが噛み合うように連結され、前記伝動ギヤと前記伝動ラックとが噛み合うように連結されていることを特徴とする請求項に記載の医療のリハビリテーション用脚のマッサージ器。
【請求項５】
前記伝動ギヤは固定的に連結された前側に位置したベベルギヤと後側に位置したスパーギヤとによって構成され、前記伝動ギヤの前端が前記第三ベベルギヤと噛み合っており、前記伝動ギヤの後端が前記伝動ラックと噛み合っていることを特徴とする請求項４に記載の医療のリハビリテーション用脚のマッサージ器。
【請求項６】
前記伸縮装置は前記マッサージチャンバの前後端壁の中に連通するように形成されている対称の移動溝を含み、
前記移動溝の左端壁の中には伝動回転溝が連通するように形成されており、前記伝動回転溝の中には回転ギヤが連結軸によって回転できるように設置され、前後対称の前記連結軸の下端が前記ベルトチャンバの中に伸びており、また前記連結軸と前記ベルト輪との間ははめ歯ベルトによって動力が伝達できるように連結され、
前記移動溝の中には前記回転ギヤと噛み合っている移動ブロックがスライドできるように設置され、前記移動ブロックの中には凹チャンバが設置され、前記凹チャンバの右端壁にはスライドガイド溝が連通するように形成されており、前記凹チャンバの中には前記マッサージリングと固定的に連結されたプッシュブロックがスライドできるように設置され、前記プッシュブロックの右端面には前記スライドガイド溝とスライドできるように連結されたスライドガイドブロックが固定的に設置され、前記プッシュブロックのうち互いに離れている一端と前記凹チャンバとの間には圧縮バネが固定的に設置され、前記プッシュブロックの左端面の中には噛み合いギヤが回転軸によって回転できるように設置され、前記噛み合いギヤと前記凹チャンバの左端壁とが噛み合っており、前記噛み合いギヤのうち前記マッサージチャンバに近接している片側には回転チャンバが設置され、
前記回転チャンバの中には回転盤が固定軸によって回転できるように設置され、前記固定軸と前記回転軸との間は伝動ベルトによって動力が伝達できるように連結され、前記回転盤には回転ロッドがヒンジで連結され、前記回転ロッドには連結ロッドがヒンジで連結され、前記連結ロッドのうち前記マッサージチャンバに近接している一端にはプッシュロッドがヒンジで連結され、前記回転チャンバと前記マッサージ押し溝とが連通しており、前記プッシュロッドのもう一端が前記マッサージ押し板と固定的に連結されていることを特徴とする請求項１に記載の医療のリハビリテーション用脚のマッサージ器。
【請求項７】
前記凹チャンバの内端壁は歯状の構造であることを特徴とする請求項６に記載の医療のリハビリテーション用脚のマッサージ器。
【発明の詳細な説明】
【技術分野】
【０００１】
本発明は医療健康設備技術分野に関わり、具体的には医療のリハビリテーション用脚のマッサージ器である。
【背景技術】
【０００２】
伝統的な脚のマッサージ器は外部動力によってマッサージ装置を駆動して作動させるのであり、それはエネルギーを浪費し、マッサージの過程に、脚部は力を入れないと、体の回復のトレイニングに何の補助作用も果たせなく、しかも既存の数多くの脚のマサージ器は足の裏のマッサージしか設置していなく、マッサージの部位は全面的ではない。本発明は上記の問題を解決できる装置を開示した。
【先行技術文献】
【特許文献】
【０００３】
【特許文献１】中国特許出願公開第１０８２４５４０５号明細書
【発明の概要】
【発明が解決しようとする課題】
【０００４】
本発明は医療のリハビリテーション用脚のマッサージ器を提供し、既存技術にある上記欠点を解消することを目的とする。
【課題を解決するための手段】
【０００５】
本発明の実施例の医療のリハビリテーション用脚のマッサージ器は、マッサージ器の主体を含み、前記主体の下端面の中には左右対称の転動溝が形成されており、前記転動溝の中には前後対称のローラが回転できるように設置され、前記主体の中には前後対称のマッサージチャンバが設置され、二つの前記マッサージチャンバの中にはマッサージ板が回転できるように設置され、前記マッサージ板の下端面の中にはスライド溝が形成されており、前記スライド溝の中にはスライドブロックがスライドできるように設置され、前記スライドブロックの下端には昇降ラックが回転できるように連結され、前記マッサージチャンバの下端壁の中には伸縮溝が連通するように形成されており、前記昇降ラックの下端が前記伸縮溝の中に伸びており、且つ前記昇降ラックの下端と前記伸縮溝の下端壁との間には伸縮ばねが固定的に設置され、前記昇降ラックの右端面には位置制限ブロックが固定的に設置され、前記伸縮溝の左側には伝動装置が設置され、前記伝動装置が前記昇降ラックと噛み合っており、前後の前記マッサージ板の右側の上端面にはそれぞれマッサージブロックが固定的に設置され、前記マッサージブロックの中には五つのマッサージ溝が均等に形成されており、隣接した前記マッサージ溝の間にはマッサージ回転溝が連通するように形成されており、前記マッサージ回転溝の中にはマッサージ輪がマッサージ回転ロッドによって回転できるように設置され、隣接した前記マッサージ輪の間はタイミングベルトによって動力が伝達できるように連結され、前記マッサージ板のうち前記マッサージ溝の下側に位置しているところには連結装置が設置され、前記マッサージチャンバの下端壁には前記マッサージ板の右側に位置している伝動ラックが固定的に設置され、前記伝動ラックと前記連結装置とが噛み合うように連結され、二つの前記マッサージチャンバの中にはそれぞれマッサージリングが前後対称的に設置され、前記マッサージリングの中にはマッサージ押し溝が形成されており、前記マッサージ押し溝の中にはマッサージ押し板が設置され、同一の前記マッサージチャンバの中の前記マッサージ押し板のうち互いに近接している一つの端面にはマッサージボールが固定的に設置され、前記マッサージチャンバの前後端壁の中には伸縮装置が設置され、前記マッサージリングと前記伸縮装置とがそれぞれ固定的に連結され、前記伸縮装置と前記伝動装置とが動力が伝達できるように連結されており、
脚を前記マッサージ板に置き、また前記マッサージ板を左右に押して動かさせ、前記マッサージ板の回転によって前記伝動装置を作動させることができ、前記伸縮装置が前記マッサージリングを足首と接触させ、それによって前記マッサージボールが足首をプッシュして健康回復のマッサージを行い、また前記伝動ラックの作用のもとで、前記連結装置によって前記マッサージ輪が作動し、足の指に回復のマッサージを行う。
【０００６】
さらなる技術プランとして、前記伝動ラックは曲がりであり、また前記伝動ラックの形状は前記マッサージ板の右端の回転軌跡と同じであり、それによって前記マッサージ板が回転すると、前記連結装置が作動して前記マッサージ輪を回転連動させ、前記マッサージ板と前記マッサージ輪の外表面とは凸凹の形状であり、それによって脚につぼへのマッサージを行える。
【０００７】
さらなる技術プランとして、前記伝動チャンバの中には第一ベベルギヤが回転できるように設置され、前記第一ベベルギヤの右側には前記昇降ラックと噛み合っているスパーギヤが設置され、前記スパーギヤと前記第一ベベルギヤとの間はベルトによって回転できるように連結され、前記伝動チャンバの上端壁の間にはベルトチャンバが連通するように設置され、前記ベルトチャンバの中にはベルトプーリがスピンドルによって回転できるように設置され、前記ベルトプーリと前記連結装置とが動力が伝達できるように連結され、前記スピンドルの下端が前記伝動チャンバの中に伸びており、また前記スピンドルの下端には第二ベベルギヤが固定的に設置され、前記第二ベベルギヤが前記第一ベベルギヤと噛み合っており、前記昇降ラックが下降することによって前記スパーギヤを回転させることができ、伝動を通じて前記ベルトプーリを回転連動させ、それによって前記連結装置が作動する。
【０００８】
さらなる技術プランとして、前記連結装置は前記マッサージ板の右端に形成されている開き溝を含み、前記開き溝の中には第三ベベルギヤが連結軸によって回転できるように設置され、前記連結軸と一つの前記マッサージ回転ロッドとが伝動ベルトによって動力が伝達できるように連結され、前記マッサージ回転ロッドと前記連結軸とは同じ前記マッサージチャンバの中に位置しており、前記開き溝のうち互いに近接している一端には伝動ギヤが噛み合うように連結され、前記伝動ギヤと前記伝動ラックとが噛み合うように連結されており、
前記マッサージ板が回転し、前記伝動ラックの作用のもとで前記第三ベベルギヤを回転させ、それによって前記マッサージ輪を回転連動させて足の指にマッサージする。
【０００９】
さらなる技術プランとして、前記伝動ギヤは固定的に連結された前側に位置したベベルギヤと後側に位置したスパーギヤとによって構成され、前記伝動ギヤの前端が前記第三ベベルギヤと噛み合っており、前記伝動ギヤの後端が前記伝動ラックと噛み合っている。
【００１０】
さらなる技術プランとして、前記伸縮装置は前記マッサージチャンバの前後端壁の中に連通するように形成されている対称の移動溝を含み、前記移動溝の左端壁の中には伝動回転溝が連通するように形成されており、前記伝動回転溝の中には回転ギヤが連結軸によって回転できるように設置され、前後対称の前記連結軸の下端が前記ベルトチャンバの中に伸びており、また前記連結軸と前記ベルト輪との間ははめ歯ベルトによって動力が伝達できるように連結され、前記移動溝の中には前記回転ギヤと噛み合っている移動ブロックがスライドできるように設置され、前記移動ブロックの中には凹チャンバが設置され、前記凹チャンバの右端壁にはスライドガイド溝が連通するように形成されており、前記凹チャンバの中には前記マッサージリングと固定的に連結されたプッシュブロックがスライドできるように設置され、前記プッシュブロックの右端面には前記スライドガイド溝とスライドできるように連結されたスライドガイドブロックが固定的に設置され、前記プッシュブロックのうち互いに離れている一端と前記凹チャンバとの間には圧縮バネが固定的に設置され、前記プッシュブロックの左端面の中には噛み合いギヤが回転軸によって回転できるように設置され、前記噛み合いギヤと前記凹チャンバの左端壁とが噛み合っており、前記噛み合いギヤのうち前記マッサージチャンバに近接している片側には回転チャンバが設置され、前記回転チャンバの中には回転盤が固定軸によって回転できるように設置され、前記固定軸と前記回転軸との間は伝動ベルトによって動力が伝達できるように連結され、前記回転盤には回転ロッドがヒンジで連結され、前記回転ロッドには連結ロッドがヒンジで連結され、前記連結ロッドのうち前記マッサージチャンバに近接している一端にはプッシュロッドがヒンジで連結され、前記回転チャンバと前記マッサージ押し溝とが連通しており、前記プッシュロッドのもう一端が前記マッサージ押し板と固定的に連結されており、
前記移動ブロックが対向に移動して前記マッサージリングを押し動かして足の首と接触させ、それによって前記移動ブロックが移動し続け、それによって前記プッシュブロックが動かなく、それによって前記噛み合いギヤが回転し、それによって前記回転盤が回転し、更に前記プッシュロッドが前記マッサージ押し板を連動させて往復して運動させ、それによって前記マッサージボールが足の首を往復して押して健康回復のマッサージを行う。
【００１１】
さらなる技術プランとして、前記凹チャンバの内端壁は歯状の構造であり、それによって前記移動ブロックが移動する時、前記噛み合いギヤが回転する。
【発明の効果】
【００１２】
本発明の有益な効果は：本発明はマッサージの動力の源はすべて足部の動作によって提供されるのであり、省エネルギーで環境にも優しく、マッサー板が回転する過程に、プレス式と転動式二つの方式で足部のつぼをマッサージでき、足元と、足の指と、足の首とを全般的に健康回復のマッサージを行う。
【図面の簡単な説明】
【００１３】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の医療のリハビリテーション用脚のマッサージ器の全体構成概略図
【図２】図２は図１の「Ａ―Ａ」方向の構成概略図
【図３】図３は図２の「Ｂ―Ｂ」方向の構成概略図
【図４】図４は図３の「Ｃ―Ｃ」方向の構成概略図
【図５】図５は図１の「Ｄ」の拡大構成概略図
【図６】図６は図５の「Ｅ―Ｅ」方向の構成概略図
【発明を実施するための形態】
【００１５】
図１〜６を参照し、本発明の実施例の医療のリハビリテーション用脚のマッサージ器は、マッサージ器の主体１０を含み、前記主体１０の下端面の中には左右対称の転動溝２１が形成されており、前記転動溝２１の中には前後対称のローラ２２が回転できるように設置され、前記主体１０の中には前後対称のマッサージチャンバ１１が設置され、二つの前記マッサージチャンバ１１の中にはマッサージ板１２が回転できるように設置され、前記マッサージ板１２の下端面の中にはスライド溝１３が形成されており、前記スライド溝１３の中にはスライドブロック１４がスライドできるように設置され、前記スライドブロック１４の下端には昇降ラック１５が回転できるように連結され、前記マッサージチャンバ１１の下端壁の中には伸縮溝１６が連通するように形成されており、前記昇降ラック１５の下端が前記伸縮溝１６の中に伸びており、且つ前記昇降ラック１５の下端と前記伸縮溝１６の下端壁との間には伸縮ばね１７が固定的に設置され、前記昇降ラック１５の右端面には位置制限ブロック１８が固定的に設置され、前記伸縮溝１６の左側には伝動装置１００が設置され、前記伝動装置１００が前記昇降ラック１５と噛み合っており、前後の前記マッサージ板１２の右側の上端面にはそれぞれマッサージブロック２７が固定的に設置され、前記マッサージブロック２７の中には五つのマッサージ溝２６が均等に形成されており、隣接した前記マッサージ溝２６の間にはマッサージ回転溝２８が連通するように形成されており、前記マッサージ回転溝２８の中にはマッサージ輪２９がマッサージ回転ロッド３０によって回転できるように設置され、隣接した前記マッサージ輪２９の間はタイミングベルト３１によって動力が伝達できるように連結され、前記マッサージ板１２のうち前記マッサージ溝２６の下側に位置しているところには連結装置２００が設置され、前記マッサージチャンバ１１の下端壁には前記マッサージ板１２の右側に位置している伝動ラック２４が固定的に設置され、前記伝動ラック２４と前記連結装置２００とが噛み合うように連結され、二つの前記マッサージチャンバ１１の中にはそれぞれマッサージリング６１が前後対称的に設置され、前記マッサージリング６１の中にはマッサージ押し溝６２が形成されており、前記マッサージ押し溝６２の中にはマッサージ押し板６３が設置され、同一の前記マッサージチャンバ１１の中の前記マッサージ押し板６３のうち互いに近接している一つの端面にはマッサージボール６４が固定的に設置され、前記マッサージチャンバ１１の前後端壁の中には伸縮装置３００が設置され、前記マッサージリング６１と前記伸縮装置３００とがそれぞれ固定的に連結され、前記伸縮装置３００と前記伝動装置１００とが動力が伝達できるように連結されており、
脚を前記マッサージ板１２に置き、また前記マッサージ板１２を左右に押して動かさせ、前記マッサージ板１２の回転によって前記伝動装置１００を作動させることができ、前記伸縮装置３００が前記マッサージリング６１を足首と接触させ、それによって前記マッサージボール６４が足首をプッシュして健康回復のマッサージを行い、また前記伝動ラック２４の作用のもとで、前記連結装置２００によって前記マッサージ輪２９が作動し、足の指に回復のマッサージを行う。
【００１６】
有益なように、前記伝動ラック２４は曲がりであり、また前記伝動ラック２４の形状は前記マッサージ板１２の右端の回転軌跡と同じであり、それによって前記マッサージ板１２が回転すると、前記連結装置２００が作動して前記マッサージ輪２９を回転連動させ、前記マッサージ板１２と前記マッサージ輪２９の外表面とは凸凹の形状であり、それによって脚につぼへのマッサージを行える。
【００１７】
有益なように、前記伝動装置１００は伝動チャンバ３５を含み、前記伝動チャンバ３５の中には第一ベベルギヤ３６が回転できるように設置され、前記第一ベベルギヤ３６の右側には前記昇降ラック１５と噛み合っているスパーギヤ１９が設置され、前記スパーギヤ１９と前記第一ベベルギヤ３６との間はベルト２０によって回転できるように連結され、前記伝動チャンバ３５の上端壁の間にはベルトチャンバ３９が連通するように設置され、前記ベルトチャンバ３９の中にはベルトプーリ４０がスピンドル３８によって回転できるように設置され、前記ベルトプーリ４０と前記連結装置２００とが動力が伝達できるように連結され、前記スピンドル３８の下端が前記伝動チャンバ３５の中に伸びており、また前記スピンドル３８の下端には第二ベベルギヤ３７が固定的に設置され、前記第二ベベルギヤ３７が前記第一ベベルギヤ３６と噛み合っており、
前記昇降ラック１５が下降することによって前記スパーギヤ１９を回転させることができ、伝動を通じて前記ベルトプーリ４０を回転連動させ、それによって前記連結装置２００が作動する。
【００１８】
有益なように、前記連結装置２００は前記マッサージ板１２の右端に形成されている開き溝２３を含み、前記開き溝２３の中には第三ベベルギヤ３２が連結軸３３によって回転できるように設置され、前記連結軸３３と一つの前記マッサージ回転ロッド３０とが伝動ベルト２５によって動力が伝達できるように連結され、前記マッサージ回転ロッド３０と前記連結軸３３とは同じ前記マッサージチャンバ１１の中に位置しており、前記開き溝２３のうち互いに近接している一端には伝動ギヤ３４が噛み合うように連結され、前記伝動ギヤ３４と前記伝動ラック２４とが噛み合うように連結されており、
前記マッサージ板１２が回転し、前記伝動ラック２４の作用のもとで前記第三ベベルギヤ３２を回転させ、それによって前記マッサージ輪２９を回転連動させて足の指にマッサージする。
【００１９】
有益なように、前記伝動ギヤ３４は固定的に連結された前側に位置したベベルギヤと後側に位置したスパーギヤとによって構成され、前記伝動ギヤ３４の前端が前記第三ベベルギヤ３２と噛み合っており、前記伝動ギヤ３４の後端が前記伝動ラック２４と噛み合っている。
【００２０】
有益なように、前記伸縮装置３００は前記マッサージチャンバ１１の前後端壁の中に連通するように形成されている対称の移動溝４２を含み、前記移動溝４２の左端壁の中には伝動回転溝４６が連通するように形成されており、前記伝動回転溝４６の中には回転ギヤ４４が連結軸４５によって回転できるように設置され、前後対称の前記連結軸４５の下端が前記ベルトチャンバ３９の中に伸びており、また前記連結軸４５と前記ベルト輪４０との間ははめ歯ベルト４１によって動力が伝達できるように連結され、前記移動溝４２の中には前記回転ギヤ４４と噛み合っている移動ブロック４３がスライドできるように設置され、前記移動ブロック４３の中には凹チャンバ５０が設置され、前記凹チャンバ５０の右端壁にはスライドガイド溝４８が連通するように形成されており、前記凹チャンバ５０の中には前記マッサージリング６１と固定的に連結されたプッシュブロック５１がスライドできるように設置され、前記プッシュブロック５１の右端面には前記スライドガイド溝４８とスライドできるように連結されたスライドガイドブロック４９が固定的に設置され、前記プッシュブロック５１のうち互いに離れている一端と前記凹チャンバ５０との間には圧縮バネ４７が固定的に設置され、前記プッシュブロック５１の左端面の中には噛み合いギヤ５２が回転軸５３によって回転できるように設置され、前記噛み合いギヤ５２と前記凹チャンバ５０の左端壁とが噛み合っており、前記噛み合いギヤ５２のうち前記マッサージチャンバ１１に近接している片側には回転チャンバ５７が設置され、前記回転チャンバ５７の中には回転盤５６が固定軸５５によって回転できるように設置され、前記固定軸５５と前記回転軸５３との間は伝動ベルト５４によって動力が伝達できるように連結され、前記回転盤５６には回転ロッド５８がヒンジで連結され、前記回転ロッド５８には連結ロッド５９がヒンジで連結され、前記連結ロッド５９のうち前記マッサージチャンバ１１に近接している一端にはプッシュロッド６０がヒンジで連結され、前記回転チャンバ５７と前記マッサージ押し溝６２とが連通しており、前記プッシュロッド６０のもう一端が前記マッサージ押し板６３と固定的に連結されており、
前記移動ブロック４３が対向に移動して前記マッサージリング６１を押し動かして足の首と接触させ、それによって前記移動ブロック４３が移動し続け、それによって前記プッシュブロック５１が動かなく、それによって前記噛み合いギヤ５２が回転し、それによって前記回転盤５６が回転し、更に前記プッシュロッド６０が前記マッサージ押し板６３を連動させて往復して運動させ、それによって前記マッサージボール６４が足の首を往復して押して健康回復のマッサージを行う。
【００２１】
有益なように、前記凹チャンバ５０の内端壁は歯状の構造であり、それによって前記移動ブロック４３が移動する時、前記噛み合いギヤ５２が回転する。
【００２２】
以下、図１〜６を合わせて本願の医療のリハビリテーション用脚のマッサージ器の使用スッテプを詳しく説明する：
【００２３】
最初に、マッサージ板１２を水平に置き、移動ブロック４３が移動溝４２の中に収縮されている。
【００２４】
使用の時、足の指を右方に向いて脚元を左方に向く方向にマッサージ板１２に置き、足元がマッサージ板１２を下方へ押し、それによってマッサージ板１２が反時計回り方向に回転し、それによって昇降ラック１５が下降し、スパーギヤ１９が回転し、ベルト２０によって第一ベベルギヤ３６を回転連動させ、それによってベルトプーリ４０が回転し、はめ歯ベルト４１によって回転ギヤ４４が回転し、それによってマッサージチャンバ１１の中の前後対称の移動ブロック４３が対向に移動し、プッシュブロック５１を移動連動させ、それによってマッサージリング６１の相対した一端が足の首と接触し、それによって移動ブロック４３が移動し続ける時、プッシュブロック５１が動かなく、圧縮バネ４７が圧力を受け、それによって噛み合いギヤ５２が回転し、伝動ベルト５４によって回転盤５６が回転し、それによってプッシュロッド６０が前後に往復して移動し、それによってマッサージ押し板６３がその上にあるマッサージボール６４を前後に往復して移動連動させて足元と足の首に圧力をかけてマッサージし、マサージ板１２が回転する過程において、伝動ラック２４の作用のもとで伝動ギヤ３４が回転し、伝動ベルト２５によってマッサージ回転ロッド３０が回転し、それによってマッサージ輪２９が回転して足の首の部位に転動マッサージを行う。
【００２５】
一回のマッサージが終わった後、マッサージ板１２が水平に置かれる状態に戻り、それによってマッサージ輪６１が互いに離れて足の首と足の指とをマッサージすることを停止し、マッサージ輪２９が逆方向に回転して足の指に伝動マッサージを行い続け、その後、足の指はマッサージ板１２を下方へ押し、それによってマッサージ板１２が時計回り方向に回転し、それによってマッサージ輪２９及びマッサージボール６４は再びそれぞれプレス式と転動式のマッサージを行い、マッサージ板１２が往復して回転し続け、それによって足部をマッサージし続け、またマッサージ板１２にある凸凹によって足の裏にマッサージを行う。
【００２６】
本発明の有益な効果は：本発明はマッサージの動力の源はすべて足部の動作によって提供されるのであり、省エネルギーで環境にも優しく、マッサー板が回転する過程に、プレス式と転動式二つの方式で足部のつぼをマッサージでき、足元と、足の指と、足の首とを全般的に健康回復のマッサージを行う。
【００２７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020182805.tif 000003
【図２】
2020182805.tif 000004
【図３】
2020182805.tif 000005
【図４】
2020182805.tif 000006
【図５】
2020182805.tif 000007
【図６】
2020182805.tif 000008
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
正面から見れば下端面の中に転動溝が形成された医療のリハビリテーション用脚のマッサージ器であって、マッサージ器の主体を含み、
前記主体の下端面の中には二つの転動溝が左右対称に形成されており、前記転動溝の中には二つのローラが回転できるように且つ前後対称に設置され、前記主体の中には二つのマッサージチャンバが前後対称に設置され、二つの前記マッサージチャンバの中にはマッサージ板が回転できるように設置され、前記マッサージ板の下端面の中にはスライド溝が形成されており、前記スライド溝の中にはスライドブロックがスライドできるように設置され、前記スライドブロックの下端が昇降ラックと回転できるように連結され、前記マッサージチャンバの下端壁の中には伸縮溝が連通するように形成されており、前記昇降ラックの下端が前記伸縮溝の中に伸びており、且つ前記昇降ラックの下端と前記伸縮溝の下端壁との間には伸縮ばねが固定的に設置され、前記昇降ラックの右端面には前記昇降ラックを駆動し復帰させることのできる位置制限ブロックが固定的に設置され、前記伸縮溝の左側には伝動装置が設置され、前記伝動装置が前記昇降ラックと噛み合っており、前後の前記マッサージ板の右側の上端面にはそれぞれマッサージブロックが固定的に設置され、前記マッサージブロックの中には五つのマッサージ溝が均等に形成されており、隣接した前記マッサージ溝の間にはマッサージ回転溝が連通するように形成されており、前記マッサージ回転溝の中にはマッサージ輪がマッサージ回転ロッドによって回転できるように設置され、隣接した前記マッサージ輪の間はタイミングベルトによって動力が伝達できるように連結され、前記マッサージ板のうち前記マッサージ溝の下側に位置しているところには連結装置が設置され、
前記マッサージチャンバの下端壁には前記マッサージ板の右側に位置している伝動ラックが固定的に設置され、前記伝動ラックと前記連結装置とが噛み合うように連結され、
二つの前記マッサージチャンバの中にはそれぞれ二つのマッサージリングが前後対称的に設置され、前記マッサージリングの中にはマッサージ押し溝が形成されており、前記マッサージ押し溝の中にはマッサージ押し板が設置され、同一の前記マッサージチャンバの中の前記マッサージ押し板のうち互いに近接している一つの端面にはマッサージボールが固定的に設置され、前記マッサージチャンバの前後端壁の中には伸縮装置が設置され、前記マッサージリングと前記伸縮装置とがそれぞれ固定的に連結され、前記伸縮装置と前記伝動装置とが動力が伝達できるように連結されており、
脚を前記マッサージ板に置き、また前記マッサージ板を左右に押して動かさせ、前記マッサージ板の回転によって前記伝動装置を作動させることができ、前記伸縮装置が前記マッサージリングを足首と接触させ、それによって前記マッサージボールが足首をプッシュして健康回復のマッサージを行い、また前記伝動ラックの作用のもとで、前記連結装置によって前記マッサージ輪が作動し、足の指に回復のマッサージを行い、
前記伝動ラックは曲がっている形であり、また前記伝動ラックの形状は前記マッサージ板の右端の回転軌跡と同じであり、それによって前記マッサージ板が回転すると、前記連結装置が作動して前記マッサージ輪を回転連動させ、前記マッサージ板と前記マッサージ輪の外表面とは凸凹の形状であり、
前記伝動装置は伝動チャンバを含み、
前記伝動チャンバの中には第一ベベルギヤが回転できるように設置され、前記第一ベベルギヤの右側には前記昇降ラックと噛み合っているスパーギヤが設置され、前記スパーギヤと前記第一ベベルギヤとの間はベルトによって回転できるように連結され、
前記伝動チャンバの上端壁の間にはベルトチャンバが連通するように設置され、前記ベルトチャンバの中にはベルトプーリがスピンドルによって回転できるように設置され、前記ベルトプーリと前記連結装置とが動力が伝達できるように連結され、前記スピンドルの下端が前記伝動チャンバの中に伸びており、また前記スピンドルの下端には第二ベベルギヤが固定的に設置され、前記第二ベベルギヤが前記第一ベベルギヤと噛み合っており、
前記連結装置は前記マッサージ板の右端に形成されている開き溝を含み、
前記開き溝の中には第三ベベルギヤが連結軸によって回転できるように設置され、前記連結軸と一つの前記マッサージ回転ロッドとが伝動ベルトによって動力が伝達できるように連結され、前記マッサージ回転ロッドと前記連結軸とは同じ前記マッサージチャンバの中に位置しており、
前記第三ベベルギヤのうち対称中心に近接している一端が伝動ギヤと噛み合うように連結され、前記伝動ギヤと前記伝動ラックとが噛み合うように連結され、
前記伝動ギヤは固定的に連結された前側に位置したベベルギヤと後側に位置したスパーギヤとによって構成され、前記伝動ギヤの前端が前記第三ベベルギヤと噛み合っており、前記伝動ギヤの後端が前記伝動ラックと噛み合っており、
前記伸縮装置は、前記マッサージチャンバの前後端壁の中に前後対称に配列され且つ前記マッサージチャンバと連通した二つの移動溝を含み、
前記移動溝の左端壁の中には伝動回転溝が連通するように形成されており、前記伝動回転溝の中には回転ギヤが連結軸によって回転できるように設置され、前後対称の前記連結軸の下端が前記ベルトチャンバの中に伸びており、また前記連結軸と前記ベルト輪との間ははめ歯ベルトによって動力が伝達できるように連結され、
前記移動溝の中には前記回転ギヤと噛み合っている移動ブロックがスライドできるように設置され、前記移動ブロックの中には凹チャンバが設置され、前記凹チャンバの右端壁にはスライドガイド溝が連通するように形成されており、前記凹チャンバの中には前記マッサージリングと固定的に連結されたプッシュブロックがスライドできるように設置され、前記プッシュブロックの右端面には前記スライドガイド溝とスライドできるように連結されたスライドガイドブロックが固定的に設置され、同じの前記マッサージチャンバの中にある前後二つの前記プッシュブロックのうち対称中心から離れている一端と前記凹チャンバとの間には圧縮バネが固定的に設置され、前記プッシュブロックの左端面の中には噛み合いギヤが回転軸によって回転できるように設置され、前記噛み合いギヤと前記凹チャンバの左端壁とが噛み合っており、前記噛み合いギヤのうち前記マッサージチャンバに近接している片側には回転チャンバが設置され、
前記回転チャンバの中には回転盤が固定軸によって回転できるように設置され、前記固定軸と前記回転軸との間は伝動ベルトによって動力が伝達できるように連結され、前記回転盤には回転ロッドがヒンジで連結され、前記回転ロッドには連結ロッドがヒンジで連結され、前記連結ロッドのうち前記マッサージチャンバに近接している一端にはプッシュロッドがヒンジで連結され、前記回転チャンバと前記マッサージ押し溝とが連通しており、前記プッシュロッドのもう一端が前記マッサージ押し板と固定的に連結され、
前記凹チャンバの内端壁は歯状の構造であることを特徴とする医療のリハビリテーション用脚のマッサージ器。
【手続補正２】
【補正対象書類名】明細書
【補正対象項目名】全文
【補正方法】変更
【補正の内容】
【発明の詳細な説明】
【技術分野】
【０００１】
本発明は医療健康設備技術分野に関わり、具体的には医療のリハビリテーション用脚のマッサージ器である。
【背景技術】
【０００２】
伝統的な脚のマッサージ器は外部動力によってマッサージ装置を駆動して作動させるのであり、それはエネルギーを浪費し、マッサージの過程に、脚部は力を入れないと、体の回復のトレイニングに何の補助作用も果たせなく、しかも既存の数多くの脚のマサージ器は足の裏のマッサージしか設置していなく、マッサージの部位は全面的ではない。本発明は上記の問題を解決できる装置を開示した。
【先行技術文献】
【特許文献】
【０００３】
【特許文献１】中国特許出願公開第１０８２４５４０５号明細書
【発明の概要】
【発明が解決しようとする課題】
【０００４】
本発明は医療のリハビリテーション用脚のマッサージ器を提供し、既存技術にある上記欠点を解消することを目的とする。
【課題を解決するための手段】
【０００５】
本発明の実施例の医療のリハビリテーション用脚のマッサージ器は、マッサージ器の主体を含み、前記主体の下端面の中には二つの転動溝が左右対称に形成されており、前記転動溝の中には二つのローラが回転できるように且つ前後対称に設置され、前記主体の中には二つのマッサージチャンバが前後対称に設置され、二つの前記マッサージチャンバの中にはマッサージ板が回転できるように設置され、前記マッサージ板の下端面の中にはスライド溝が形成されており、前記スライド溝の中にはスライドブロックがスライドできるように設置され、前記スライドブロックの下端が昇降ラックと回転できるように連結され、前記マッサージチャンバの下端壁の中には伸縮溝が連通するように形成されており、前記昇降ラックの下端が前記伸縮溝の中に伸びており、且つ前記昇降ラックの下端と前記伸縮溝の下端壁との間には伸縮ばねが固定的に設置され、前記昇降ラックの右端面には前記昇降ラックを駆動し復帰させることのできる位置制限ブロックが固定的に設置され、前記伸縮溝の左側には伝動装置が設置され、前記伝動装置が前記昇降ラックと噛み合っており、前後の前記マッサージ板の右側の上端面にはそれぞれマッサージブロックが固定的に設置され、前記マッサージブロックの中には五つのマッサージ溝が均等に形成されており、隣接した前記マッサージ溝の間にはマッサージ回転溝が連通するように形成されており、前記マッサージ回転溝の中にはマッサージ輪がマッサージ回転ロッドによって回転できるように設置され、隣接した前記マッサージ輪の間はタイミングベルトによって動力が伝達できるように連結され、前記マッサージ板のうち前記マッサージ溝の下側に位置しているところには連結装置が設置され、前記マッサージチャンバの下端壁には前記マッサージ板の右側に位置している伝動ラックが固定的に設置され、前記伝動ラックと前記連結装置とが噛み合うように連結され、二つの前記マッサージチャンバの中にはそれぞれ二つのマッサージリングが前後対称的に設置され、前記マッサージリングの中にはマッサージ押し溝が形成されており、前記マッサージ押し溝の中にはマッサージ押し板が設置され、同一の前記マッサージチャンバの中の前記マッサージ押し板のうち互いに近接している一つの端面にはマッサージボールが固定的に設置され、前記マッサージチャンバの前後端壁の中には伸縮装置が設置され、前記マッサージリングと前記伸縮装置とがそれぞれ固定的に連結され、前記伸縮装置と前記伝動装置とが動力が伝達できるように連結されており、脚を前記マッサージ板に置き、また前記マッサージ板を左右に押して動かさせ、前記マッサージ板の回転によって前記伝動装置を作動させることができ、前記伸縮装置が前記マッサージリングを足首と接触させ、それによって前記マッサージボールが足首をプッシュして健康回復のマッサージを行い、また前記伝動ラックの作用のもとで、前記連結装置によって前記マッサージ輪が作動し、足の指に回復のマッサージを行う。
【０００６】
さらなる技術プランとして、前記伝動ラックは曲がっている形であり、また前記伝動ラックの形状は前記マッサージ板の右端の回転軌跡と同じであり、それによって前記マッサージ板が回転すると、前記連結装置が作動して前記マッサージ輪を回転連動させ、前記マッサージ板と前記マッサージ輪の外表面とは凸凹の形状であり、それによって脚につぼへのマッサージを行える。
【０００７】
さらなる技術プランとして、前記伝動チャンバの中には第一ベベルギヤが回転できるように設置され、前記第一ベベルギヤの右側には前記昇降ラックと噛み合っているスパーギヤが設置され、前記スパーギヤと前記第一ベベルギヤとの間はベルトによって回転できるように連結され、前記伝動チャンバの上端壁の間にはベルトチャンバが連通するように設置され、前記ベルトチャンバの中にはベルトプーリがスピンドルによって回転できるように設置され、前記ベルトプーリと前記連結装置とが動力が伝達できるように連結され、前記スピンドルの下端が前記伝動チャンバの中に伸びており、また前記スピンドルの下端には第二ベベルギヤが固定的に設置され、前記第二ベベルギヤが前記第一ベベルギヤと噛み合っており、前記昇降ラックが下降することによって前記スパーギヤを回転させることができ、伝動を通じて前記ベルトプーリを回転連動させ、それによって前記連結装置が作動する。
【０００８】
さらなる技術プランとして、前記連結装置は前記マッサージ板の右端に形成されている開き溝を含み、前記開き溝の中には第三ベベルギヤが連結軸によって回転できるように設置され、前記連結軸と一つの前記マッサージ回転ロッドとが伝動ベルトによって動力が伝達できるように連結され、前記マッサージ回転ロッドと前記連結軸とは同じ前記マッサージチャンバの中に位置しており、前記第三ベベルギヤのうち対称中心に近接している一端が伝動ギヤと噛み合うように連結され、前記伝動ギヤと前記伝動ラックとが噛み合うように連結されており、
前記マッサージ板が回転し、前記伝動ラックの作用のもとで前記第三ベベルギヤを回転させ、それによって前記マッサージ輪を回転連動させて足の指にマッサージする。
【０００９】
さらなる技術プランとして、前記伝動ギヤは固定的に連結された前側に位置したベベルギヤと後側に位置したスパーギヤとによって構成され、前記伝動ギヤの前端が前記第三ベベルギヤと噛み合っており、前記伝動ギヤの後端が前記伝動ラックと噛み合っている。
【００１０】
さらなる技術プランとして、前記伸縮装置は、前記マッサージチャンバの前後端壁の中に前後対称に配列され且つ前記マッサージチャンバと連通した二つの移動溝を含み、前記移動溝の左端壁の中には伝動回転溝が連通するように形成されており、前記伝動回転溝の中には回転ギヤが連結軸によって回転できるように設置され、前後対称の前記連結軸の下端が前記ベルトチャンバの中に伸びており、また前記連結軸と前記ベルト輪との間ははめ歯ベルトによって動力が伝達できるように連結され、前記移動溝の中には前記回転ギヤと噛み合っている移動ブロックがスライドできるように設置され、前記移動ブロックの中には凹チャンバが設置され、前記凹チャンバの右端壁にはスライドガイド溝が連通するように形成されており、前記凹チャンバの中には前記マッサージリングと固定的に連結されたプッシュブロックがスライドできるように設置され、前記プッシュブロックの右端面には前記スライドガイド溝とスライドできるように連結されたスライドガイドブロックが固定的に設置され、同じの前記マッサージチャンバの中にある前後二つの前記プッシュブロックのうち対称中心から離れている一端と前記凹チャンバとの間には圧縮バネが固定的に設置され、前記プッシュブロックの左端面の中には噛み合いギヤが回転軸によって回転できるように設置され、前記噛み合いギヤと前記凹チャンバの左端壁とが噛み合っており、前記噛み合いギヤのうち前記マッサージチャンバに近接している片側には回転チャンバが設置され、前記回転チャンバの中には回転盤が固定軸によって回転できるように設置され、前記固定軸と前記回転軸との間は伝動ベルトによって動力が伝達できるように連結され、前記回転盤には回転ロッドがヒンジで連結され、前記回転ロッドには連結ロッドがヒンジで連結され、前記連結ロッドのうち前記マッサージチャンバに近接している一端にはプッシュロッドがヒンジで連結され、前記回転チャンバと前記マッサージ押し溝とが連通しており、前記プッシュロッドのもう一端が前記マッサージ押し板と固定的に連結されており、前記移動ブロックが対向に移動して前記マッサージリングを押し動かして足の首と接触させ、それによって前記移動ブロックが移動し続け、それによって前記プッシュブロックが動かなく、それによって前記噛み合いギヤが回転し、それによって前記回転盤が回転し、更に前記プッシュロッドが前記マッサージ押し板を連動させて往復して運動させ、それによって前記マッサージボールが足の首を往復して押して健康回復のマッサージを行う。
【００１１】
さらなる技術プランとして、前記凹チャンバの内端壁は歯状の構造であり、それによって前記移動ブロックが移動する時、前記噛み合いギヤが回転する。
【発明の効果】
【００１２】
本発明の有益な効果は：本発明はマッサージの動力の源はすべて足部の動作によって提供されるのであり、省エネルギーで環境にも優しく、マッサー板が回転する過程に、プレス式と転動式二つの方式で足部のつぼをマッサージでき、足元と、足の指と、足の首とを全般的に健康回復のマッサージを行う。
【図面の簡単な説明】
【００１３】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の医療のリハビリテーション用脚のマッサージ器の全体構成概    略図
【図２】図２は図１の「Ａ―Ａ」方向の構成概略図
【図３】図３は図２の「Ｂ―Ｂ」方向の構成概略図
【図４】図４は図３の「Ｃ―Ｃ」方向の構成概略図
【図５】図５は図１の「Ｄ」の拡大構成概略図
【図６】図６は図５の「Ｅ―Ｅ」方向の構成概略図
【発明を実施するための形態】
【００１５】
図１〜６を参照し、本発明の実施例の医療のリハビリテーション用脚のマッサージ器は、マッサージ器の主体１０を含み、前記主体１０の下端面の中には二つの転動溝２１が左右対称に形成されており、前記転動溝２１の中には二つのローラ２２が回転できるように且つ前後対称に設置され、前記主体１０の中には二つのマッサージチャンバが１１前後対称に設置され、二つの前記マッサージチャンバ１１の中にはマッサージ板１２が回転できるように設置され、前記マッサージ板１２の下端面の中にはスライド溝１３が形成されており、前記スライド溝１３の中にはスライドブロック１４がスライドできるように設置され、前記スライドブロック１４の下端が昇降ラック１５と回転できるように連結され、前記マッサージチャンバ１１の下端壁の中には伸縮溝１６が連通するように形成されており、前記昇降ラック１５の下端が前記伸縮溝１６の中に伸びており、且つ前記昇降ラック１５の下端と前記伸縮溝１６の下端壁との間には伸縮ばね１７が固定的に設置され、前記昇降ラック１５の右端面には前記昇降ラック１５を駆動し復帰させることのできる位置制限ブロック１８が固定的に設置され、前記伸縮溝１６の左側には伝動装置１００が設置され、前記伝動装置１００が前記昇降ラック１５と噛み合っており、前後の前記マッサージ板１２の右側の上端面にはそれぞれマッサージブロック２７が固定的に設置され、前記マッサージブロック２７の中には五つのマッサージ溝２６が均等に形成されており、隣接した前記マッサージ溝２６の間にはマッサージ回転溝２８が連通するように形成されており、前記マッサージ回転溝２８の中にはマッサージ輪２９がマッサージ回転ロッド３０によって回転できるように設置され、隣接した前記マッサージ輪２９の間はタイミングベルト３１によって動力が伝達できるように連結され、前記マッサージ板１２のうち前記マッサージ溝２６の下側に位置しているところには連結装置２００が設置され、前記マッサージチャンバ１１の下端壁には前記マッサージ板１２の右側に位置している伝動ラック２４が固定的に設置され、前記伝動ラック２４と前記連結装置２００とが噛み合うように連結され、二つの前記マッサージチャンバ１１の中にはそれぞれ二つのマッサージリング６１が前後対称的に設置され、前記マッサージリング６１の中にはマッサージ押し溝６２が形成されており、前記マッサージ押し溝６２の中にはマッサージ押し板６３が設置され、同一の前記マッサージチャンバ１１の中の前記マッサージ押し板６３のうち互いに近接している一つの端面にはマッサージボール６４が固定的に設置され、前記マッサージチャンバ１１の前後端壁の中には伸縮装置３００が設置され、前記マッサージリング６１と前記伸縮装置３００とがそれぞれ固定的に連結され、前記伸縮装置３００と前記伝動装置１００とが動力が伝達できるように連結されており、
脚を前記マッサージ板１２に置き、また前記マッサージ板１２を左右に押して動かさせ、前記マッサージ板１２の回転によって前記伝動装置１００を作動させることができ、前記伸縮装置３００が前記マッサージリング６１を足首と接触させ、それによって前記マッサージボール６４が足首をプッシュして健康回復のマッサージを行い、また前記伝動ラック２４の作用のもとで、前記連結装置２００によって前記マッサージ輪２９が作動し、足の指に回復のマッサージを行う。
【００１６】
有益なように、前記伝動ラック２４は曲がっている形であり、また前記伝動ラック２４の形状は前記マッサージ板１２の右端の回転軌跡と同じであり、それによって前記マッサージ板１２が回転すると、前記連結装置２００が作動して前記マッサージ輪２９を回転連動させ、前記マッサージ板１２と前記マッサージ輪２９の外表面とは凸凹の形状であり、それによって脚につぼへのマッサージを行える。
【００１７】
有益なように、前記伝動装置１００は伝動チャンバ３５を含み、前記伝動チャンバ３５の中には第一ベベルギヤ３６が回転できるように設置され、前記第一ベベルギヤ３６の右側には前記昇降ラック１５と噛み合っているスパーギヤ１９が設置され、前記スパーギヤ１９と前記第一ベベルギヤ３６との間はベルト２０によって回転できるように連結され、前記伝動チャンバ３５の上端壁の間にはベルトチャンバ３９が連通するように設置され、前記ベルトチャンバ３９の中にはベルトプーリ４０がスピンドル３８によって回転できるように設置され、前記ベルトプーリ４０と前記連結装置２００とが動力が伝達できるように連結され、前記スピンドル３８の下端が前記伝動チャンバ３５の中に伸びており、また前記スピンドル３８の下端には第二ベベルギヤ３７が固定的に設置され、前記第二ベベルギヤ３７が前記第一ベベルギヤ３６と噛み合っており、
前記昇降ラック１５が下降することによって前記スパーギヤ１９を回転させることができ、伝動を通じて前記ベルトプーリ４０を回転連動させ、それによって前記連結装置２００が作動する。
【００１８】
有益なように、前記連結装置２００は前記マッサージ板１２の右端に形成されている開き溝２３を含み、前記開き溝２３の中には第三ベベルギヤ３２が連結軸３３によって回転できるように設置され、前記連結軸３３と一つの前記マッサージ回転ロッド３０とが伝動ベルト２５によって動力が伝達できるように連結され、前記マッサージ回転ロッド３０と前記連結軸３３とは同じ前記マッサージチャンバ１１の中に位置しており、前記第三ベベルギヤ３２のうち対称中心に近接している一端が伝動ギヤ３４と噛み合うように連結され、前記伝動ギヤ３４と前記伝動ラック２４とが噛み合うように連結されており、
前記マッサージ板１２が回転し、前記伝動ラック２４の作用のもとで前記第三ベベルギヤ３２を回転させ、それによって前記マッサージ輪２９を回転連動させて足の指にマッサージする。
【００１９】
有益なように、前記伝動ギヤ３４は固定的に連結された前側に位置したベベルギヤと後側に位置したスパーギヤとによって構成され、前記伝動ギヤ３４の前端が前記第三ベベルギヤ３２と噛み合っており、前記伝動ギヤ３４の後端が前記伝動ラック２４と噛み合っている。
【００２０】
有益なように、前記伸縮装置３００は、前記マッサージチャンバ１１の前後端壁の中に前後対称に配列され且つ前記マッサージチャンバと連通した二つの移動溝４２を含み、前記移動溝４２の左端壁の中には伝動回転溝４６が連通するように形成されており、前記伝動回転溝４６の中には回転ギヤ４４が連結軸４５によって回転できるように設置され、前後対称の前記連結軸４５の下端が前記ベルトチャンバ３９の中に伸びており、また前記連結軸４５と前記ベルト輪４０との間ははめ歯ベルト４１によって動力が伝達できるように連結され、前記移動溝４２の中には前記回転ギヤ４４と噛み合っている移動ブロック４３がスライドできるように設置され、前記移動ブロック４３の中には凹チャンバ５０が設置され、前記凹チャンバ５０の右端壁にはスライドガイド溝４８が連通するように形成されており、前記凹チャンバ５０の中には前記マッサージリング６１と固定的に連結されたプッシュブロック５１がスライドできるように設置され、前記プッシュブロック５１の右端面には前記スライドガイド溝４８とスライドできるように連結されたスライドガイドブロック４９が固定的に設置され、同じの前記マッサージチャンバ１１の中にある前後二つの前記プッシュブロック５１のうち対称中心から離れている一端と前記凹チャンバ５０との間には圧縮バネ４７が固定的に設置され、前記プッシュブロック５１の左端面の中には噛み合いギヤ５２が回転軸５３によって回転できるように設置され、前記噛み合いギヤ５２と前記凹チャンバ５０の左端壁とが噛み合っており、前記噛み合いギヤ５２のうち前記マッサージチャンバ１１に近接している片側には回転チャンバ５７が設置され、前記回転チャンバ５７の中には回転盤５６が固定軸５５によって回転できるように設置され、前記固定軸５５と前記回転軸５３との間は伝動ベルト５４によって動力が伝達できるように連結され、前記回転盤５６には回転ロッド５８がヒンジで連結され、前記回転ロッド５８には連結ロッド５９がヒンジで連結され、前記連結ロッド５９のうち前記マッサージチャンバ１１に近接している一端にはプッシュロッド６０がヒンジで連結され、前記回転チャンバ５７と前記マッサージ押し溝６２とが連通しており、前記プッシュロッド６０のもう一端が前記マッサージ押し板６３と固定的に連結されており、
前記移動ブロック４３が対向に移動して前記マッサージリング６１を押し動かして足の首と接触させ、それによって前記移動ブロック４３が移動し続け、それによって前記プッシュブロック５１が動かなく、それによって前記噛み合いギヤ５２が回転し、それによって前記回転盤５６が回転し、更に前記プッシュロッド６０が前記マッサージ押し板６３を連動させて往復して運動させ、それによって前記マッサージボール６４が足の首を往復して押して健康回復のマッサージを行う。
【００２１】
有益なように、前記凹チャンバ５０の内端壁は歯状の構造であり、それによって前記移動ブロック４３が移動する時、前記噛み合いギヤ５２が回転する。
【００２２】
以下、図１〜６を合わせて本願の医療のリハビリテーション用脚のマッサージ器の使用スッテプを詳しく説明する：
【００２３】
最初に、マッサージ板１２を水平に置き、移動ブロック４３が移動溝４２の中に収縮されている。
【００２４】
使用の時、足の指を右方に向いて脚元を左方に向く方向にマッサージ板１２に置き、足元がマッサージ板１２を下方へ押し、それによってマッサージ板１２が反時計回り方向に回転し、それによって昇降ラック１５が下降し、スパーギヤ１９が回転し、ベルト２０によって第一ベベルギヤ３６を回転連動させ、それによってベルトプーリ４０が回転し、はめ歯ベルト４１によって回転ギヤ４４が回転し、それによってマッサージチャンバ１１の中の前後対称の移動ブロック４３が対向に移動し、プッシュブロック５１を移動連動させ、それによってマッサージリング６１の相対した一端が足の首と接触し、それによって移動ブロック４３が移動し続ける時、プッシュブロック５１が動かなく、圧縮バネ４７が圧力を受け、それによって噛み合いギヤ５２が回転し、伝動ベルト５４によって回転盤５６が回転し、それによってプッシュロッド６０が前後に往復して移動し、それによってマッサージ押し板６３がその上にあるマッサージボール６４を前後に往復して移動連動させて足元と足の首に圧力をかけてマッサージし、マサージ板１２が回転する過程において、伝動ラック２４の作用のもとで伝動ギヤ３４が回転し、伝動ベルト２５によってマッサージ回転ロッド３０が回転し、それによってマッサージ輪２９が回転して足の首の部位に転動マッサージを行う。
【００２５】
一回のマッサージが終わった後、マッサージ板１２が水平に置かれる状態に戻り、それによってマッサージ輪６１が互いに離れて足の首と足の指とをマッサージすることを停止し、マッサージ輪２９が逆方向に回転して足の指に伝動マッサージを行い続け、その後、足の指はマッサージ板１２を下方へ押し、それによってマッサージ板１２が時計回り方向に回転し、それによってマッサージ輪２９及びマッサージボール６４は再びそれぞれプレス式と転動式のマッサージを行い、マッサージ板１２が往復して回転し続け、それによって足部をマッサージし続け、またマッサージ板１２にある凸凹によって足の裏にマッサージを行う。
【００２６】
本発明の有益な効果は：本発明はマッサージの動力の源はすべて足部の動作によって提供されるのであり、省エネルギーで環境にも優しく、マッサー板が回転する過程に、プレス式と転動式二つの方式で足部のつぼをマッサージでき、足元と、足の指と、足の首とを全般的に健康回復のマッサージを行う。
【００２７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
正面から見れば下端面の中に転動溝が形成された医療のリハビリテーション用脚のマッサージ器であって、マッサージ器の主体を含み、
前記主体の下端面の中には二つの転動溝が左右対称に形成されており、前記転動溝の中には二つのローラが回転できるように且つ前後対称に設置され、前記主体の中には二つのマッサージチャンバが前後対称に設置され、二つの前記マッサージチャンバの中にはマッサージ板が回転できるように設置され、前記マッサージ板の下端面の中にはスライド溝が形成されており、前記スライド溝の中にはスライドブロックがスライドできるように設置され、前記スライドブロックの下端が昇降ラックと回転できるように連結され、前記マッサージチャンバの下端壁の中には伸縮溝が連通するように形成されており、前記昇降ラックの下端が前記伸縮溝の中に伸びており、且つ前記昇降ラックの下端と前記伸縮溝の下端壁との間には伸縮ばねが固定的に設置され、前記昇降ラックの右端面には前記昇降ラックの位置を制限できる位置制限ブロックが固定的に設置され、前記伸縮溝の左側には伝動装置が設置され、前記伝動装置が前記昇降ラックと噛み合っており、前後の前記マッサージ板の右側の上端面にはそれぞれマッサージブロックが固定的に設置され、前記マッサージブロックの中には五つのマッサージ溝が均等に形成されており、隣接した前記マッサージ溝の間にはマッサージ回転溝が連通するように形成されており、前記マッサージ回転溝の中にはマッサージ輪がマッサージ回転ロッドによって回転できるように設置され、隣接した前記マッサージ輪の間はタイミングベルトによって動力が伝達できるように連結され、前記マッサージ板のうち前記マッサージ溝の下側に位置しているところには連結装置が設置され、
前記マッサージチャンバの下端壁には前記マッサージ板の右側に位置している伝動ラックが固定的に設置され、前記伝動ラックと前記連結装置とが噛み合うように連結され、
二つの前記マッサージチャンバの中にはそれぞれ二つのマッサージリングが前後対称的に設置され、前記マッサージリングの中にはマッサージ押し溝が形成されており、前記マッサージ押し溝の中にはマッサージ押し板が設置され、同一の前記マッサージチャンバの中の前記マッサージ押し板のうち互いに近接している一つの端面にはマッサージボールが固定的に設置され、前記マッサージチャンバの前後端壁の中には伸縮装置が設置され、前記マッサージリングと前記伸縮装置とがそれぞれ固定的に連結され、前記伸縮装置と前記伝動装置とが動力が伝達できるように連結されており、
脚を前記マッサージ板に置き、また前記マッサージ板を左右に押して動かさせ、前記マッサージ板の回転によって前記伝動装置を作動させることができ、前記伸縮装置が前記マッサージリングを足首と接触させ、それによって前記マッサージボールが足首をプッシュして健康回復のマッサージを行い、また前記伝動ラックの作用のもとで、前記連結装置によって前記マッサージ輪が作動し、足の指に回復のマッサージを行い、
前記伝動ラックは曲がっている形であり、また前記伝動ラックの形状は前記マッサージ板の右端の回転軌跡と同じであり、それによって前記マッサージ板が回転すると、前記連結装置が作動して前記マッサージ輪を回転連動させ、前記マッサージ板と前記マッサージ輪の外表面とは凸凹の形状であり、
前記伝動装置は伝動チャンバを含み、
前記伝動チャンバの中には第一ベベルギヤが回転できるように設置され、前記第一ベベルギヤの右側には前記昇降ラックと噛み合っているスパーギヤが設置され、前記スパーギヤと前記第一ベベルギヤとの間はベルトによって回転できるように連結され、
前記伝動チャンバの上端壁の間にはベルトチャンバが連通するように設置され、前記ベルトチャンバの中にはベルトプーリがスピンドルによって回転できるように設置され、前記ベルトプーリと前記連結装置とが動力が伝達できるように連結され、前記スピンドルの下端が前記伝動チャンバの中に伸びており、また前記スピンドルの下端には第二ベベルギヤが固定的に設置され、前記第二ベベルギヤが前記第一ベベルギヤと噛み合っており、
前記連結装置は前記マッサージ板の右端に形成されている開き溝を含み、
前記開き溝の中には第三ベベルギヤが連結軸によって回転できるように設置され、前記連結軸と一つの前記マッサージ回転ロッドとが伝動ベルトによって動力が伝達できるように連結され、前記マッサージ回転ロッドと前記連結軸とは同じ前記マッサージチャンバの中に位置しており、
前記第三ベベルギヤのうち対称中心に近接している一端が伝動ギヤと噛み合うように連結され、前記伝動ギヤと前記伝動ラックとが噛み合うように連結され、
前記伝動ギヤは固定的に連結された前側に位置したベベルギヤと後側に位置したスパーギヤとによって構成され、前記伝動ギヤの前端が前記第三ベベルギヤと噛み合っており、前記伝動ギヤの後端が前記伝動ラックと噛み合っており、
前記伸縮装置は、前記マッサージチャンバの前後端壁の中に前後対称に配列され且つ前記マッサージチャンバと連通した二つの移動溝を含み、
前記移動溝の左端壁の中には伝動回転溝が連通するように形成されており、前記伝動回転溝の中には回転ギヤが連結軸によって回転できるように設置され、前後対称の前記連結軸の下端が前記ベルトチャンバの中に伸びており、また前記連結軸と前記ベルトプーリとの間ははめ歯ベルトによって動力が伝達できるように連結され、
前記移動溝の中には前記回転ギヤと噛み合っている移動ブロックがスライドできるように設置され、前記移動ブロックの中には凹チャンバが設置され、前記凹チャンバの右端壁にはスライドガイド溝が連通するように形成されており、前記凹チャンバの中には前記マッサージリングと固定的に連結されたプッシュブロックがスライドできるように設置され、前記プッシュブロックの右端面には前記スライドガイド溝とスライドできるように連結されたスライドガイドブロックが固定的に設置され、同じ前記マッサージチャンバの中にある前後二つの前記プッシュブロックのうち対称中心から離れている一端と前記凹チャンバとの間には圧縮バネが固定的に設置され、前記プッシュブロックの左端面の中には噛み合いギヤが回転軸によって回転できるように設置され、前記噛み合いギヤと前記凹チャンバの左端壁とが噛み合っており、前記噛み合いギヤのうち前記マッサージチャンバに近接している片側には回転チャンバが設置され、
前記回転チャンバの中には回転盤が固定軸によって回転できるように設置され、前記固定軸と前記回転軸との間は伝動ベルトによって動力が伝達できるように連結され、前記回転盤には回転ロッドがヒンジで連結され、前記回転ロッドには連結ロッドがヒンジで連結され、前記連結ロッドのうち前記マッサージチャンバに近接している一端にはプッシュロッドがヒンジで連結され、前記回転チャンバと前記マッサージ押し溝とが連通しており、前記プッシュロッドのもう一端が前記マッサージ押し板と固定的に連結され、
前記凹チャンバの内端壁は歯状の構造であることを特徴とする医療のリハビリテーション用脚のマッサージ器。
【手続補正２】
【補正対象書類名】明細書
【補正対象項目名】全文
【補正方法】変更
【補正の内容】
【発明の詳細な説明】
【技術分野】
【０００１】
本発明は医療健康設備技術分野に関わり、具体的には医療のリハビリテーション用脚のマッサージ器である。
【背景技術】
【０００２】
伝統的な脚のマッサージ器は外部動力によってマッサージ装置を駆動して作動させるのであり、それはエネルギーを浪費し、マッサージの過程に、脚部は力を入れないと、体の回復のトレイニングに何の補助作用も果たせなく、しかも既存の数多くの脚のマサージ器は足の裏のマッサージしか設置していなく、マッサージの部位は全面的ではない。本発明は上記の問題を解決できる装置を開示した。
【先行技術文献】
【特許文献】
【０００３】
【特許文献１】中国特許出願公開第１０８２４５４０５号明細書
【発明の概要】
【発明が解決しようとする課題】
【０００４】
本発明は医療のリハビリテーション用脚のマッサージ器を提供し、既存技術にある上記欠点を解消することを目的とする。
【課題を解決するための手段】
【０００５】
本発明の実施例の医療のリハビリテーション用脚のマッサージ器は、マッサージ器の主体を含み、前記主体の下端面の中には二つの転動溝が左右対称に形成されており、前記転動溝の中には二つのローラが回転できるように且つ前後対称に設置され、前記主体の中には二つのマッサージチャンバが前後対称に設置され、二つの前記マッサージチャンバの中にはマッサージ板が回転できるように設置され、前記マッサージ板の下端面の中にはスライド溝が形成されており、前記スライド溝の中にはスライドブロックがスライドできるように設置され、前記スライドブロックの下端が昇降ラックと回転できるように連結され、前記マッサージチャンバの下端壁の中には伸縮溝が連通するように形成されており、前記昇降ラックの下端が前記伸縮溝の中に伸びており、且つ前記昇降ラックの下端と前記伸縮溝の下端壁との間には伸縮ばねが固定的に設置され、前記昇降ラックの右端面には前記昇降ラックの位置を制限できる位置制限ブロックが固定的に設置され、前記伸縮溝の左側には伝動装置が設置され、前記伝動装置が前記昇降ラックと噛み合っており、前後の前記マッサージ板の右側の上端面にはそれぞれマッサージブロックが固定的に設置され、前記マッサージブロックの中には五つのマッサージ溝が均等に形成されており、隣接した前記マッサージ溝の間にはマッサージ回転溝が連通するように形成されており、前記マッサージ回転溝の中にはマッサージ輪がマッサージ回転ロッドによって回転できるように設置され、隣接した前記マッサージ輪の間はタイミングベルトによって動力が伝達できるように連結され、前記マッサージ板のうち前記マッサージ溝の下側に位置しているところには連結装置が設置され、前記マッサージチャンバの下端壁には前記マッサージ板の右側に位置している伝動ラックが固定的に設置され、前記伝動ラックと前記連結装置とが噛み合うように連結され、二つの前記マッサージチャンバの中にはそれぞれ二つのマッサージリングが前後対称的に設置され、前記マッサージリングの中にはマッサージ押し溝が形成されており、前記マッサージ押し溝の中にはマッサージ押し板が設置され、同一の前記マッサージチャンバの中の前記マッサージ押し板のうち互いに近接している一つの端面にはマッサージボールが固定的に設置され、前記マッサージチャンバの前後端壁の中には伸縮装置が設置され、前記マッサージリングと前記伸縮装置とがそれぞれ固定的に連結され、前記伸縮装置と前記伝動装置とが動力が伝達できるように連結されており、脚を前記マッサージ板に置き、また前記マッサージ板を左右に押して動かさせ、前記マッサージ板の回転によって前記伝動装置を作動させることができ、前記伸縮装置が前記マッサージリングを足首と接触させ、それによって前記マッサージボールが足首をプッシュして健康回復のマッサージを行い、また前記伝動ラックの作用のもとで、前記連結装置によって前記マッサージ輪が作動し、足の指に回復のマッサージを行う。
【０００６】
さらなる技術プランとして、前記伝動ラックは曲がっている形であり、また前記伝動ラックの形状は前記マッサージ板の右端の回転軌跡と同じであり、それによって前記マッサージ板が回転すると、前記連結装置が作動して前記マッサージ輪を回転連動させ、前記マッサージ板と前記マッサージ輪の外表面とは凸凹の形状であり、それによって脚につぼへのマッサージを行える。
【０００７】
さらなる技術プランとして、前記伝動チャンバの中には第一ベベルギヤが回転できるように設置され、前記第一ベベルギヤの右側には前記昇降ラックと噛み合っているスパーギヤが設置され、前記スパーギヤと前記第一ベベルギヤとの間はベルトによって回転できるように連結され、前記伝動チャンバの上端壁の間にはベルトチャンバが連通するように設置され、前記ベルトチャンバの中にはベルトプーリがスピンドルによって回転できるように設置され、前記ベルトプーリと前記連結装置とが動力が伝達できるように連結され、前記スピンドルの下端が前記伝動チャンバの中に伸びており、また前記スピンドルの下端には第二ベベルギヤが固定的に設置され、前記第二ベベルギヤが前記第一ベベルギヤと噛み合っており、前記昇降ラックが下降することによって前記スパーギヤを回転させることができ、伝動を通じて前記ベルトプーリを回転連動させ、それによって前記連結装置が作動する。
【０００８】
さらなる技術プランとして、前記連結装置は前記マッサージ板の右端に形成されている開き溝を含み、前記開き溝の中には第三ベベルギヤが連結軸によって回転できるように設置され、前記連結軸と一つの前記マッサージ回転ロッドとが伝動ベルトによって動力が伝達できるように連結され、前記マッサージ回転ロッドと前記連結軸とは同じ前記マッサージチャンバの中に位置しており、前記第三ベベルギヤのうち対称中心に近接している一端が伝動ギヤと噛み合うように連結され、前記伝動ギヤと前記伝動ラックとが噛み合うように連結されており、
前記マッサージ板が回転し、前記伝動ラックの作用のもとで前記第三ベベルギヤを回転させ、それによって前記マッサージ輪を回転連動させて足の指にマッサージする。
【０００９】
さらなる技術プランとして、前記伝動ギヤは固定的に連結された前側に位置したベベルギヤと後側に位置したスパーギヤとによって構成され、前記伝動ギヤの前端が前記第三ベベルギヤと噛み合っており、前記伝動ギヤの後端が前記伝動ラックと噛み合っている。
【００１０】
さらなる技術プランとして、前記伸縮装置は、前記マッサージチャンバの前後端壁の中に前後対称に配列され且つ前記マッサージチャンバと連通した二つの移動溝を含み、前記移動溝の左端壁の中には伝動回転溝が連通するように形成されており、前記伝動回転溝の中には回転ギヤが連結軸によって回転できるように設置され、前後対称の前記連結軸の下端が前記ベルトチャンバの中に伸びており、また前記連結軸と前記ベルトプーリとの間ははめ歯ベルトによって動力が伝達できるように連結され、前記移動溝の中には前記回転ギヤと噛み合っている移動ブロックがスライドできるように設置され、前記移動ブロックの中には凹チャンバが設置され、前記凹チャンバの右端壁にはスライドガイド溝が連通するように形成されており、前記凹チャンバの中には前記マッサージリングと固定的に連結されたプッシュブロックがスライドできるように設置され、前記プッシュブロックの右端面には前記スライドガイド溝とスライドできるように連結されたスライドガイドブロックが固定的に設置され、同じ前記マッサージチャンバの中にある前後二つの前記プッシュブロックのうち対称中心から離れている一端と前記凹チャンバとの間には圧縮バネが固定的に設置され、前記プッシュブロックの左端面の中には噛み合いギヤが回転軸によって回転できるように設置され、前記噛み合いギヤと前記凹チャンバの左端壁とが噛み合っており、前記噛み合いギヤのうち前記マッサージチャンバに近接している片側には回転チャンバが設置され、前記回転チャンバの中には回転盤が固定軸によって回転できるように設置され、前記固定軸と前記回転軸との間は伝動ベルトによって動力が伝達できるように連結され、前記回転盤には回転ロッドがヒンジで連結され、前記回転ロッドには連結ロッドがヒンジで連結され、前記連結ロッドのうち前記マッサージチャンバに近接している一端にはプッシュロッドがヒンジで連結され、前記回転チャンバと前記マッサージ押し溝とが連通しており、前記プッシュロッドのもう一端が前記マッサージ押し板と固定的に連結されており、前記移動ブロックが対向に移動して前記マッサージリングを押し動かして足の首と接触させ、それによって前記移動ブロックが移動し続け、それによって前記プッシュブロックが動かなく、それによって前記噛み合いギヤが回転し、それによって前記回転盤が回転し、更に前記プッシュロッドが前記マッサージ押し板を連動させて往復して運動させ、それによって前記マッサージボールが足の首を往復して押して健康回復のマッサージを行う。
【００１１】
さらなる技術プランとして、前記凹チャンバの内端壁は歯状の構造であり、それによって前記移動ブロックが移動する時、前記噛み合いギヤが回転する。
【発明の効果】
【００１２】
本発明の有益な効果は：本発明はマッサージの動力の源はすべて足部の動作によって提供されるのであり、省エネルギーで環境にも優しく、マッサー板が回転する過程に、プレス式と転動式二つの方式で足部のつぼをマッサージでき、足元と、足の指と、足の首とを全般的に健康回復のマッサージを行う。
【図面の簡単な説明】
【００１３】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の医療のリハビリテーション用脚のマッサージ器の全体構成概    略図
【図２】図２は図１の「Ａ―Ａ」方向の構成概略図
【図３】図３は図２の「Ｂ―Ｂ」方向の構成概略図
【図４】図４は図３の「Ｃ―Ｃ」方向の構成概略図
【図５】図５は図１の「Ｄ」の拡大構成概略図
【図６】図６は図５の「Ｅ―Ｅ」方向の構成概略図
【発明を実施するための形態】
【００１５】
図１〜６を参照し、本発明の実施例の医療のリハビリテーション用脚のマッサージ器は、マッサージ器の主体１０を含み、前記主体１０の下端面の中には二つの転動溝２１が左右対称に形成されており、前記転動溝２１の中には二つのローラ２２が回転できるように且つ前後対称に設置され、前記主体１０の中には二つのマッサージチャンバが１１前後対称に設置され、二つの前記マッサージチャンバ１１の中にはマッサージ板１２が回転できるように設置され、前記マッサージ板１２の下端面の中にはスライド溝１３が形成されており、前記スライド溝１３の中にはスライドブロック１４がスライドできるように設置され、前記スライドブロック１４の下端が昇降ラック１５と回転できるように連結され、前記マッサージチャンバ１１の下端壁の中には伸縮溝１６が連通するように形成されており、前記昇降ラック１５の下端が前記伸縮溝１６の中に伸びており、且つ前記昇降ラック１５の下端と前記伸縮溝１６の下端壁との間には伸縮ばね１７が固定的に設置され、前記昇降ラック１５の右端面には前記昇降ラック１５の位置を制限できる位置制限ブロック１８が固定的に設置され、前記伸縮溝１６の左側には伝動装置１００が設置され、前記伝動装置１００が前記昇降ラック１５と噛み合っており、前後の前記マッサージ板１２の右側の上端面にはそれぞれマッサージブロック２７が固定的に設置され、前記マッサージブロック２７の中には五つのマッサージ溝２６が均等に形成されており、隣接した前記マッサージ溝２６の間にはマッサージ回転溝２８が連通するように形成されており、前記マッサージ回転溝２８の中にはマッサージ輪２９がマッサージ回転ロッド３０によって回転できるように設置され、隣接した前記マッサージ輪２９の間はタイミングベルト３１によって動力が伝達できるように連結され、前記マッサージ板１２のうち前記マッサージ溝２６の下側に位置しているところには連結装置２００が設置され、前記マッサージチャンバ１１の下端壁には前記マッサージ板１２の右側に位置している伝動ラック２４が固定的に設置され、前記伝動ラック２４と前記連結装置２００とが噛み合うように連結され、二つの前記マッサージチャンバ１１の中にはそれぞれ二つのマッサージリング６１が前後対称的に設置され、前記マッサージリング６１の中にはマッサージ押し溝６２が形成されており、前記マッサージ押し溝６２の中にはマッサージ押し板６３が設置され、同一の前記マッサージチャンバ１１の中の前記マッサージ押し板６３のうち互いに近接している一つの端面にはマッサージボール６４が固定的に設置され、前記マッサージチャンバ１１の前後端壁の中には伸縮装置３００が設置され、前記マッサージリング６１と前記伸縮装置３００とがそれぞれ固定的に連結され、前記伸縮装置３００と前記伝動装置１００とが動力が伝達できるように連結されており、
脚を前記マッサージ板１２に置き、また前記マッサージ板１２を左右に押して動かさせ、前記マッサージ板１２の回転によって前記伝動装置１００を作動させることができ、前記伸縮装置３００が前記マッサージリング６１を足首と接触させ、それによって前記マッサージボール６４が足首をプッシュして健康回復のマッサージを行い、また前記伝動ラック２４の作用のもとで、前記連結装置２００によって前記マッサージ輪２９が作動し、足の指に回復のマッサージを行う。
【００１６】
有益なように、前記伝動ラック２４は曲がっている形であり、また前記伝動ラック２４の形状は前記マッサージ板１２の右端の回転軌跡と同じであり、それによって前記マッサージ板１２が回転すると、前記連結装置２００が作動して前記マッサージ輪２９を回転連動させ、前記マッサージ板１２と前記マッサージ輪２９の外表面とは凸凹の形状であり、それによって脚につぼへのマッサージを行える。
【００１７】
有益なように、前記伝動装置１００は伝動チャンバ３５を含み、前記伝動チャンバ３５の中には第一ベベルギヤ３６が回転できるように設置され、前記第一ベベルギヤ３６の右側には前記昇降ラック１５と噛み合っているスパーギヤ１９が設置され、前記スパーギヤ１９と前記第一ベベルギヤ３６との間はベルト２０によって回転できるように連結され、前記伝動チャンバ３５の上端壁の間にはベルトチャンバ３９が連通するように設置され、前記ベルトチャンバ３９の中にはベルトプーリ４０がスピンドル３８によって回転できるように設置され、前記ベルトプーリ４０と前記連結装置２００とが動力が伝達できるように連結され、前記スピンドル３８の下端が前記伝動チャンバ３５の中に伸びており、また前記スピンドル３８の下端には第二ベベルギヤ３７が固定的に設置され、前記第二ベベルギヤ３７が前記第一ベベルギヤ３６と噛み合っており、
前記昇降ラック１５が下降することによって前記スパーギヤ１９を回転させることができ、伝動を通じて前記ベルトプーリ４０を回転連動させ、それによって前記連結装置２００が作動する。
【００１８】
有益なように、前記連結装置２００は前記マッサージ板１２の右端に形成されている開き溝２３を含み、前記開き溝２３の中には第三ベベルギヤ３２が連結軸３３によって回転できるように設置され、前記連結軸３３と一つの前記マッサージ回転ロッド３０とが伝動ベルト２５によって動力が伝達できるように連結され、前記マッサージ回転ロッド３０と前記連結軸３３とは同じ前記マッサージチャンバ１１の中に位置しており、前記第三ベベルギヤ３２のうち対称中心に近接している一端が伝動ギヤ３４と噛み合うように連結され、前記伝動ギヤ３４と前記伝動ラック２４とが噛み合うように連結されており、
前記マッサージ板１２が回転し、前記伝動ラック２４の作用のもとで前記第三ベベルギヤ３２を回転させ、それによって前記マッサージ輪２９を回転連動させて足の指にマッサージする。
【００１９】
有益なように、前記伝動ギヤ３４は固定的に連結された前側に位置したベベルギヤと後側に位置したスパーギヤとによって構成され、前記伝動ギヤ３４の前端が前記第三ベベルギヤ３２と噛み合っており、前記伝動ギヤ３４の後端が前記伝動ラック２４と噛み合っている。
【００２０】
有益なように、前記伸縮装置３００は、前記マッサージチャンバ１１の前後端壁の中に前後対称に配列され且つ前記マッサージチャンバと連通した二つの移動溝４２を含み、前記移動溝４２の左端壁の中には伝動回転溝４６が連通するように形成されており、前記伝動回転溝４６の中には回転ギヤ４４が連結軸４５によって回転できるように設置され、前後対称の前記連結軸４５の下端が前記ベルトチャンバ３９の中に伸びており、また前記連結軸４５と前記ベルトプーリ４０との間ははめ歯ベルト４１によって動力が伝達できるように連結され、前記移動溝４２の中には前記回転ギヤ４４と噛み合っている移動ブロック４３がスライドできるように設置され、前記移動ブロック４３の中には凹チャンバ５０が設置され、前記凹チャンバ５０の右端壁にはスライドガイド溝４８が連通するように形成されており、前記凹チャンバ５０の中には前記マッサージリング６１と固定的に連結されたプッシュブロック５１がスライドできるように設置され、前記プッシュブロック５１の右端面には前記スライドガイド溝４８とスライドできるように連結されたスライドガイドブロック４９が固定的に設置され、同じ前記マッサージチャンバ１１の中にある前後二つの前記プッシュブロック５１のうち対称中心から離れている一端と前記凹チャンバ５０との間には圧縮バネ４７が固定的に設置され、前記プッシュブロック５１の左端面の中には噛み合いギヤ５２が回転軸５３によって回転できるように設置され、前記噛み合いギヤ５２と前記凹チャンバ５０の左端壁とが噛み合っており、前記噛み合いギヤ５２のうち前記マッサージチャンバ１１に近接している片側には回転チャンバ５７が設置され、前記回転チャンバ５７の中には回転盤５６が固定軸５５によって回転できるように設置され、前記固定軸５５と前記回転軸５３との間は伝動ベルト５４によって動力が伝達できるように連結され、前記回転盤５６には回転ロッド５８がヒンジで連結され、前記回転ロッド５８には連結ロッド５９がヒンジで連結され、前記連結ロッド５９のうち前記マッサージチャンバ１１に近接している一端にはプッシュロッド６０がヒンジで連結され、前記回転チャンバ５７と前記マッサージ押し溝６２とが連通しており、前記プッシュロッド６０のもう一端が前記マッサージ押し板６３と固定的に連結されており、
前記移動ブロック４３が対向に移動して前記マッサージリング６１を押し動かして足の首と接触させ、それによって前記移動ブロック４３が移動し続け、それによって前記プッシュブロック５１が動かなく、それによって前記噛み合いギヤ５２が回転し、それによって前記回転盤５６が回転し、更に前記プッシュロッド６０が前記マッサージ押し板６３を連動させて往復して運動させ、それによって前記マッサージボール６４が足の首を往復して押して健康回復のマッサージを行う。
【００２１】
有益なように、前記凹チャンバ５０の内端壁は歯状の構造であり、それによって前記移動ブロック４３が移動する時、前記噛み合いギヤ５２が回転する。
【００２２】
以下、図１〜６を合わせて本願の医療のリハビリテーション用脚のマッサージ器の使用スッテプを詳しく説明する：
【００２３】
最初に、マッサージ板１２を水平に置き、移動ブロック４３が移動溝４２の中に収縮されている。
【００２４】
使用の時、足の指を右方に向いて脚元を左方に向く方向にマッサージ板１２に置き、足元がマッサージ板１２を下方へ押し、それによってマッサージ板１２が反時計回り方向に回転し、それによって昇降ラック１５が下降し、スパーギヤ１９が回転し、ベルト２０によって第一ベベルギヤ３６を回転連動させ、それによってベルトプーリ４０が回転し、はめ歯ベルト４１によって回転ギヤ４４が回転し、それによってマッサージチャンバ１１の中の前後対称の移動ブロック４３が対向に移動し、プッシュブロック５１を移動連動させ、それによってマッサージリング６１の相対した一端が足の首と接触し、それによって移動ブロック４３が移動し続ける時、プッシュブロック５１が動かなく、圧縮バネ４７が圧力を受け、それによって噛み合いギヤ５２が回転し、伝動ベルト５４によって回転盤５６が回転し、それによってプッシュロッド６０が前後に往復して移動し、それによってマッサージ押し板６３がその上にあるマッサージボール６４を前後に往復して移動連動させて足元と足の首に圧力をかけてマッサージし、マサージ板１２が回転する過程において、伝動ラック２４の作用のもとで伝動ギヤ３４が回転し、伝動ベルト２５によってマッサージ回転ロッド３０が回転し、それによってマッサージ輪２９が回転して足の首の部位に転動マッサージを行う。
【００２５】
一回のマッサージが終わった後、マッサージ板１２が水平に置かれる状態に戻り、それによってマッサージ輪６１が互いに離れて足の首と足の指とをマッサージすることを停止し、マッサージ輪２９が逆方向に回転して足の指に伝動マッサージを行い続け、その後、足の指はマッサージ板１２を下方へ押し、それによってマッサージ板１２が時計回り方向に回転し、それによってマッサージ輪２９及びマッサージボール６４は再びそれぞれプレス式と転動式のマッサージを行い、マッサージ板１２が往復して回転し続け、それによって足部をマッサージし続け、またマッサージ板１２にある凸凹によって足の裏にマッサージを行う。
【００２６】
本発明の有益な効果は：本発明はマッサージの動力の源はすべて足部の動作によって提供されるのであり、省エネルギーで環境にも優しく、マッサー板が回転する過程に、プレス式と転動式二つの方式で足部のつぼをマッサージでき、足元と、足の指と、足の首とを全般的に健康回復のマッサージを行う。
【００２７】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。